【事件の表示】
　特願２０１５−２１９９９０「ガスセンサ素子およびガスセンサ」拒絶査定不服審判事件〔平成２８年　６月２３日出願公開、特開２０１６−１１４５９３〕について、次のとおり審決する。
【結　論】
　本件審判の請求は、成り立たない。
【理　由】
第１　手続の経緯
　本願は、平成２７年１１月１０日（国内優先権主張　平成２６年１２月１６日）の出願であって、平成２９年８月１５日付けで拒絶理由が通知され、同年１０月２６日付けで意見書が提出され、平成３０年３月２６日付けで拒絶査定されたところ、同年６月１２日に拒絶査定不服審判の請求がなされ、同時に手続補正がなされたものである。
第２　平成３０年６月１２日にされた手続補正についての補正の却下の決定
［補正の却下の決定の結論］
　平成３０年６月１２日にされた手続補正（以下「本件補正」という。）を却下する。
［理由］
１　本件補正について
（１）本件補正後の特許請求の範囲の記載
　本件補正により、特許請求の範囲の請求項１の記載は、次のとおり補正された。（下線部は、補正箇所である。）
「　【請求項１】
　　　　　　　　　　　　　　　　　　　　　　　　　　　　　　　　　　　長手方向に延びる板状のガスセンサ素子であって、
　貫通孔を前記長手方向先端側に有する絶縁部、及び、前記貫通孔内に配置された固体電解質部、を有する板状の複合セラミック層と、
　前記複合セラミック層の一方の主面側に前記固体電解質部に接触して配置された電極部と、
　前記複合セラミック層の前記一方の主面側において前記絶縁部のみに接触すると共に、自身の先端が前記貫通孔よりも前記長手方向後端側に引き下がって配置され、前記電極部に電気的に接続されて前記長手方向後端側に延びるリード部と、
　を備え、
　前記電極部の後端部は、前記複合セラミック層の前記一方の主面側の前記絶縁部上において、前記リード部の先端部と重ね合わされてな
り、
　
前記リード部の先端部上に前記電極部の後端部が重ね合わされてなり、
　
前記電極部の後端部は、前記複合セラミック層の前記一方の主面側の前記絶縁部上のみにおいて、前記固体電解質部上に配置された前記電極部の先端部よりも厚みが大きくなることを特徴とするガスセンサ素子。
（２）本件補正前の特許請求の範囲
　本件補正前の、特許請求の範囲の請求項１の記載は次のとおりである。
「【請求項１】
　長手方向に延びる板状のガスセンサ素子であって、
　貫通孔を前記長手方向先端側に有する絶縁部、及び、前記貫通孔内に配置された固体電解質部、を有する板状の複合セラミック層と、
　前記複合セラミック層の一方の主面側に前記固体電解質部に接触して配置された電極部と、
　前記複合セラミック層の前記一方の主面側において前記絶縁部のみに接触すると共に、自身の先端が前記貫通孔よりも前記長手方向後端側に引き下がって配置され、前記電極部に電気的に接続されて前記長手方向後端側に延びるリード部と、
　を備え、
　前記電極部の後端部は、前記複合セラミック層の前記一方の主面側の前記絶縁部上において、前記リード部の先端部と重ね合わされてなる
　ことを特徴とするガスセンサ素子。」
２　補正の適否
　本件補正は、本件補正前の請求項１に記載された発明を特定するために必要な事項である「前記電極部の後端部」と、「前記リード部の先端部」との「重ね合わ」せが、「前記リード部の先端部上に前記電極部の後端部が重ね合わされてなり、前記電極部の後端部は、前記複合セラミック層の前記一方の主面側の前記絶縁部上のみにおいて、前記固体電解質部上に配置された前記電極部の先端部よりも厚みが大きくなる」との限定を付加するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１
（ア）引用文献１に記載された事項
　原査定の拒絶の理由で引用された本願の優先日前に頒布された引用文献である、特開２００７−２７８９４１号公報（平成１９年１０月２５日出願公開。以下「引用文献１」という。）には、図面とともに、次の記載がある。
（引１ａ）「【００２８】
　図１は、本発明を適用した実施形態の
センサ素子４を備える酸素センサ２
　酸素センサ２は、排気管に固定するためのネジ部１０３が外表面に形成された筒状の主体金具１０２と、軸線方向（図中上下方向）に延びる
板状形状をなすセンサ素子４
（引１ｂ）「【００３７】
　ここで、センサ素子４の概略構造を表す分解斜視図を、図２に示す。なお、図２では、先端側が図における左側となり、後端側が図における右側となるように、センサ素子４を図示している。図に示すように、
センサ素子４は、センサ部６００と、ヒータ５００と、を備え
【００３８】
　
センサ部６００は、酸素濃度検出セル４３０および保護層４０７を備え
　センサ部６００の
酸素濃度検出セル４３０は、絶縁性材料（アルミナなど）からなる絶縁部材４０５と、部分安定化ジルコニア焼結体からなる固体電解質体４３５と、白金（Ｐｔ）からなる第１電極４０４および第２電極４０６と、を備え
【００３９】
　
絶縁部材４０５は、厚さ方向に貫通する貫通孔４３３を有する板型形状に形成され
【００４０】
　
固体電解質体４３５は、絶縁部材４０５における貫通孔４３３の内部に配置され
【００４１】
　第１電極４０４は、固体電解質体４３５の一部を覆う第１電極部４５１と、第１電極部４５１から絶縁部材４０５の長手方向の後端側に延びる第１リード部４５３と、を備えて形成されている。
【００４２】
　
第２電極４０６は、固体電解質体４３５の一部を覆う第２電極部４４７と、第２電極部４４７から絶縁部材４０５の長手方向の後端側に延びる第２リード部４４９と、を備え
（引１ｃ）「【００８８】
　さらに、
固体電解質体４３５および絶縁部材４０５の上に、
未焼成第２電極４０６をスクリーン印刷法により形成する
（引１ｄ）「【００９３】
　未焼成固体電解質体４３５は、焼成工程により、固体電解質体４３５となる。未焼成絶縁部材４０５は、焼成工程により、絶縁部材４０５となる。
　
未焼成第２電極４０６は、焼成工程により、第２電極部４４７と第２リード部４４９とからなる第２電極４０６となる
（引１ｅ）「【図２】
　　　　　　　　　　　　　　　　　　　　　　　　　　　　　　」
（イ）引用文献１に記載された発明
ａ　上記（引１ｂ）より「図２では、先端側が図における左側となり」、上記（引１ｅ）より、「絶縁部材４０５」の「貫通孔４３３」は、「絶縁部材４０５」の長手方向の左側に配置されている点が見て取れるから、前記「貫通孔４３３」は、「絶縁部材４０５」の長手方向の先端側に配置されていると認められる。また、上記（引１ｅ）より、「第２電極部４４７」と、「第２リード部４４９」とからなる、「第２電極４０６」は、「絶縁部材４０５」及び「貫通孔４３３の内部に配置され」た「固体電解質体４３５」とからなるものの一方の主面側に配置されている点が見て取れる。
ｂ　すると、上記（引１ａ）〜（引１ｅ）から、引用文献１には、次の発明（以下「引用発明」という。）が記載されていると認められる。
「酸素センサ２に備えられる板状形状をなすセンサ素子４において、
　センサ素子４は、センサ部６００と、ヒータ５００と、を備え、
　センサ部６００は、酸素濃度検出セル４３０および保護層４０７を備え、
　酸素濃度検出セル４３０は、絶縁性材料からなる絶縁部材４０５と、部分安定化ジルコニア焼結体からなる固体電解質体４３５と、第１電極４０４および第２電極４０６と、を備え、
　絶縁部材４０５は、厚さ方向に貫通する貫通孔４３３を有する板型形状に形成され、
　前記貫通孔４３３は、絶縁部材４０５の長手方向の先端側に配置され、
　固体電解質体４３５は、絶縁部材４０５における貫通孔４３３の内部に配置され、
　第２電極４０６は、固体電解質体４３５の一部を覆う第２電極部４４７と、第２電極部４４７から絶縁部材４０５の長手方向の後端側に延びる第２リード部４４９と、を備え、
　第２電極部４４７と、第２リード部４４９とからなる、第２電極４０６は、絶縁部材４０５及び貫通孔４３３の内部に配置された固体電解質体４３５とからなるものの一方の主面側に配置され、
　固体電解質体４３５および絶縁部材４０５の上に、未焼成第２電極４０６をスクリーン印刷法により形成し、
　未焼成第２電極４０６は、焼成工程により、第２電極部４４７と第２リード部４４９とからなる第２電極４０６となる
センサ素子４。」
イ　引用文献２
（ア）引用文献２に記載された事項
　原査定の拒絶の理由で引用された本願の優先日前に頒布された引用文献である、特開２０１２−１７７６３８号公報（平成２４年９月１３日出願公開。以下「引用文献２」という。）には、図面とともに、次の記載がある。
（引２ａ）「【００３１】
　
第２の電極部１１８は、
第１の固体電解質層１１５の
主面
上に形成され
【００３２】
　
第２のセンサリード部１１９の先端側（一端側）は、第２の電極部１１８の後端側（他端側）に接続され
第２のセンサリード部１１９は、第１の固体電解質層１１５の長手方向
に沿って延び
第２のセンサリード部１１９は、第２の電極部１１８よりも緻密な層にすることで、緻密の程度が第２の電極部１１８と同じ場合よりも、第２のセンサリード部１１９を介した信号の伝達を良好に行うことができ
（引２ｂ）「【００５１】
　図３（Ｂ）に示すように、絶縁層２０２は、固体電解質層２０１上に直接に形成されている。リード部２０５は、絶縁層２０２上に直接に形成されており、固体電解質層２０１上には直接に形成されていない。すなわち、リード部２０５は絶縁層２０２を挟んで固体電解質層２０１上に形成されている。また、長手方向（図３（Ｂ）では左右方向）について、リード部２０５の先端２０５Ｙは絶縁層２０２の先端２０２Ｙよりも後端側に配置されている。
電極部２０４は、先端側に位置する先端部２０４Ｙが固体電解質層２０１上に直接に形成され、後端側に位置する後端部２０４Ｗ
がリード部２０５上に直接に重ね合わされ
（引２ｃ）「【図３】
　　　　　　　　　　　　　　　　　　　　　　　　　　　　」
（イ）引用文献２に記載された技術事項
ａ　上記（引２ｃ）より、（引２ａ）の、「第１の固体電解質層１１５」、「第２の電極部１１８」及び「第２のセンサリード部１１９」は、（引２ｂ）の「固体電解質層２０１」、「電極部２０４」及び「リード部２０５」である点が見て取れる。
ｂ　上記（引２ａ）〜（引２ｃ）より、引用文献２には次の技術事項（以下、「技術事項２」という。）が記載されている。
「第２の電極部１１８は、第１の固体電解質層１１５の主面上に形成され、
　第２のセンサリード部１１９の先端側（一端側）は、第２の電極部１１８の後端側（他端側）に接続され、
　第２のセンサリード部１１９は、第１の固体電解質層１１５の長手方向に沿って延び、
　第２のセンサリード部１１９は、第２の電極部１１８よりも緻密な層にすることで、緻密の程度が第２の電極部１１８と同じ場合よりも、第２のセンサリード部１１９を介した信号の伝達を良好に行うことができ、
　第２の電極部１１８は、先端側に位置する先端部２０４Ｙが第１の固体電解質層１１５上に直接に形成され、後端側に位置する後端部２０４Ｗが第２のセンサリード部１１９上に直接に重ね合わされた
酸素濃度検出セル１１０。」
（３）対比
　本件補正発明と引用発明とを対比する。
ア　引用発明の「酸素センサ２に備えられる板状形状をなすセンサ素子４」は、本件補正発明の「長手方向に延びる板状のガスセンサ素子」に相当する。
イ　引用発明の「貫通孔４３３」、「絶縁部材４０５」及び「固体電解質体４３５」は、それぞれ本件補正発明の「貫通孔」、「絶縁部」及び「固体電解質部」に相当する。そして、引用発明の「前記貫通孔４３３」が、「長手方向の先端側に配置され」た「絶縁部材４０５」は、本件補正発明の「貫通孔を前記長手方向先端側に有する絶縁部」に相当し、引用発明の「絶縁部材４０５における貫通孔４３３の内部に配置され」た「固体電解質体４３５」は、本件補正発明の、「前記貫通孔内に配置された固体電解質部」に相当する。また、引用発明の「絶縁部材４０５」は、「板型形状に形成され」ているから、引用発明の「前記貫通孔４３３」が、「長手方向の先端側に配置され」た「絶縁部材４０５」、及び、「絶縁部材４０５における貫通孔４３３の内部に配置され」た「固体電解質体４３５」からなるものも「板型形状」であるから、引用発明の「前記貫通孔４３３」が、「長手方向の先端側に配置され」た「絶縁部材４０５」、及び、「絶縁部材４０５における貫通孔４３３の内部に配置され」た「固体電解質体４３５」からなるものは、本件補正発明の「貫通孔を前記長手方向先端側に有する絶縁部、及び、前記貫通孔内に配置された固体電解質部、を有する板状の複合セラミック層」に相当する。
ウ　引用発明の「第２電極部４４７」及び「第２リード部４４９」は、それぞれ、本件補正発明の「電極部」及び「リード部」に相当する。そして、引用発明の「第２電極部４４７と、第２リード部４４９とからなる、第２電極４０６は、絶縁部材４０５及び貫通孔４３３の内部に配置された固体電解質体４３５とからなるものの一方の主面側に配置され」、「第２電極部４４７」は、「固体電解質体４３５の一部を覆う」ものであるから、引用発明の「第２電極部４４７」は、本件補正発明の「前記複合セラミック層の一方の主面側に前記固体電解質部に接触して配置された電極部」に相当する。また、引用発明の「第２リード部４４９」は、「第２電極部４４７から絶縁部材４０５の長手方向の後端側に延び」ているから、本件補正発明の「リード部」とは、「前記複合セラミック層の前記一方の主面側において前記絶縁部に接触すると共に、前記電極部に電気的に接続されて前記長手方向後端側に延びる」点で共通する。
エ　上記ア〜ウより、本件補正発明と引用発明との間には、以下の一致点及び相違点がある。
（一致点）
「長手方向に延びる板状のガスセンサ素子であって、
　貫通孔を前記長手方向先端側に有する絶縁部、及び、前記貫通孔内に配置された固体電解質部、を有する板状の複合セラミック層と、
　前記複合セラミック層の一方の主面側に前記固体電解質部に接触して配置された電極部と、
　前記複合セラミック層の前記一方の主面側において前記絶縁部に接触すると共に、前記電極部に電気的に接続されて前記長手方向後端側に延びるリード部と、
　を備えるガスセンサ素子。」
（相違点）
　電極部及びリード部について、本件補正発明は、「前記リード部」が、「前記絶縁部のみに接触すると共に、自身の先端が前記貫通孔よりも前記長手方向後端側に引き下がって配置され」、「前記電極部の後端部は、前記複合セラミック層の前記一方の主面側の前記絶縁部上において、前記リード部の先端部と重ね合わされてなり、前記リード部の先端部上に前記電極部の後端部が重ね合わされてなり、前記電極部の後端部は、前記複合セラミック層の前記一方の主面側の前記絶縁部上のみにおいて、前記固体電解質部上に配置された前記電極部の先端部よりも厚みが大きくなる」ものであるのに対し、引用発明は、「第２電極部４４７と第２リード部４４９とからなる第２電極４０６」が、「固体電解質体４３５および絶縁部材４０５の上に、未焼成第２電極４０６をスクリーン印刷法により形成」され、「焼成工程により、第２電極部４４７と第２リード部４４９とからなる第２電極４０６と」なったものであることから、「第２電極部４４７」と「第２リード部４４９」とは一体的に形成されたものである点。
（４）判断
　上記相違点について検討する。
ア　技術事項２から認識される構成
（ア）技術事項２の「第２のセンサリード部１１９は、第２の電極部１１８よりも緻密な層にすることで、緻密の程度が第２の電極部１１８と同じ場合よりも、第２のセンサリード部１１９を介した信号の伝達を良好に行うことができ」るようにしていることから、技術事項２は、「信号の伝達を良好に行う」ために、「第２のセンサリード部１１９」を、「第２の電極部１１８よりも緻密な層にする」ものである。
（イ）技術事項２の「第２の電極部１１８は、第１の固体電解質層１１５の主面上に形成され、第２のセンサリード部１１９の先端側（一端側）は、第２の電極部１１８の後端側（他端側）に接続され」、「先端側に位置する先端部２０４Ｙが第１の固体電解質層１１５上に直接に形成され、後端側に位置する後端部２０４Ｗが第２のセンサリード部１１９上に直接に重ね合わされ」ているから、技術事項２の「第２のセンサリード部１１９の先端側（一端側）」上に「第２の電極部１１８」の「後端部２０４Ｗ」が重ね合わされているものであると認められる。
（ウ）「第２の電極部１１８」の「後端部２０４Ｗ」を、「第２のセンサリード部１１９の先端側（一端側）」と重ね合わせた場合、「第２の電極部１１８」の「後端部２０４Ｗ」の厚さが、「第２のセンサリード部１１９の先端側（一端側）」に重ね合わせることにより、「第１の固体電解質層１１５上に直接に形成され」た「第２の電極部１１８」の「先端側に位置する先端部２０４Ｙ」の厚さより大きくなることは上記（引２ｃ）の図３（Ｂ）を見ても明らかであるから、「第２の電極部１１８」の「後端部２０４Ｗ」は、「第１の固体電解質層１１５上に直接に形成され」た「第２の電極部１１８」の「先端側に位置する先端部２０４Ｙ」よりも厚みが大きくなると認められる。
（エ）以上（ア）〜（ウ）より、技術事項２は、「信号の伝達を良好に行うために、第２のセンサリード部１１９を、第２の電極部１１８よりも緻密な層とし、第２のセンサリード部１１９の先端側（一端側）上に第２の電極部１１８の後端部２０４Ｗを重ね合わせ、第２の電極部１１８の後端部２０４Ｗは、第１の固体電解質層１１５上に直接に形成された第２の電極部１１８の先端側に位置する先端部２０４Ｙよりも厚みが大きくなる構成」を有していると認められる。
イ　相違点についての判断
（ア）ガスセンサにおいて、センサとして機能する部分の電極は、固体電解質へのガスの供給を考慮して通気性の高いものの方がよいこと、また、リード部の電極は、センサの応答性を考慮して抵抗の低い材料とした方がよいことは当該技術分野において自明事項であって、引用発明の「第２電極４０６」においても同じことがいえることは明らかである。すると、引用発明の「第２電極４０６」の「第２電極部４４７」及び「第２リード部４４９」において、それぞれの電極に求められる性能を考慮して技術事項２の「信号の伝達を良好に行うために、第２のセンサリード部１１９を、第２の電極部１１８よりも緻密な層と」する構成及びその際の「第２のセンサリード部１１９」と「第２の電極部１１８」との接続を「第２のセンサリード部１１９の先端側（一端側）上に第２の電極部１１８の後端部２０４Ｗを重ね合わせ」て接続する構成を適用し、「第２リード部４４９」を「第２電極部４４７」よりも緻密な層とし、「第２リード部４４９」の先端部上に「第２電極部４４７」の後端部を重ね合わせて接続する構成とすることは、当業者が容易に想到できたことである。
（イ）ここで、引用発明に技術事項２を適用した場合の「第２リード部４４９」と「第２電極部４４７」との重ね合わせの位置について検討する。
　ガスセンサにおいて、センサの測定精度のバラツキの防止という課題は、通常考慮されなければならない課題であって、該課題解決のためには、センサとして機能する部分の電極は、その抵抗値や通気性が一定でなければならず、そのためにセンサ部分の電極は緻密度が同じ材料を一定の厚さで形成しなければならないことは、当技術分野において技術常識であることに鑑みると、「第２リード部４４９」と「第２電極部４４７」との重ね合わせの位置は、「第２電極部４４７」の「固体電解質体４３５」上にある電極の抵抗値や緻密度への影響がない位置に形成する必要がある。そのためには、「第２リード部４４９」と「第２電極部４４７」との重ね合わせの位置を、通気性も抵抗も違う電極である「第２リード部４４９」が「第２電極部４４７」の「固体電解質体４３５」上にある電極と重ね合わせられないだけでなく、「第２リード部４４９」の先端部上に「第２電極部４４７」の後端部が重ね合わされることにより形成される「第２電極部４４７」の厚さの厚い部分が「固体電解質体４３５」上に形成されない位置としなければならない。
　そうすると、引用発明に技術事項２を適用した場合の「第２リード部４４９」と「第２電極部４４７」との重ね合わせの位置は、「絶縁部材４０５」上であって、「第２リード部４４９」の先端部上に「第２電極部４４７」の後端部が重ね合わされることにより形成される「第２電極部４４７」の厚さが厚くなる部分が、「固体電解質体４３５」上の電極に影響しない程度に「固体電解質体４３５」と「絶縁部材４０５」との境界部より離れた位置で重ね合わせることとなり、この場合においては、「第２リード部４４９」は、「絶縁部材４０５」のみに接触し、自身の先端が「貫通孔４３３」よりも前記長手方向後端側に引き下がって配置されることとなり、「第２リード部４４９」の先端部上に「第２電極部４４７」の後端部を重ね合わせることにより形成される「第２電極部４４７」の厚みが厚くなる部分は、「絶縁部材４０５」上のみに形成されることとなる。
（ウ）よって、引用発明において、「第２電極部４４７」を通気性の高いものとし、「第２リード部４４９」を抵抗の低いものとすべく、引用発明に技術事項２を適用し、「第２リード部４４９」が、「絶縁部材４０５」のみに接触すると共に、自身の先端が「貫通孔４３３」よりも前記長手方向後端側に引き下がって配置され、「第２電極部４４７」の後端部は、「固体電解質体４３５」及び「絶縁部材４０５」からなるもの一方の主面側の「絶縁部材４０５」において、「第２リード部４４９」の先端部と重ね合わされてなり、「第２リード部４４９」の先端部上に「第２電極部４４７」の後端部が重ね合わされてなり、「第２電極部４４７」の後端部は、「固体電解質体４３５」及び「絶縁部材４０５」からなるものの前記一方の主面側の「絶縁部材４０５」上のみにおいて、「固体電解質体４３５」上に配置された「第２電極部４４７」の先端部よりも厚みが大きくなるようにすることは当業者が容易に想到できたことである。
ウ　効果について
　本件補正発明の効果は、引用文献１及び２に記載された事項から、当業者が容易に予測できる範囲内のものにすぎず、格別顕著なものということはできない。
エ　したがって、本件補正発明は、引用発明及び技術事項２に基づいて、当業者が容易に発明をすることができたものであり、特許法２９条２項の規定により、特許出願の際独立して特許を受けることができないものである。
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
４　本件補正発明についての請求人の主張について
　本件補正発明について請求人は、「・・・引用文献１においては「前記第２電極部４４７の後端部は、前記複合セラミック層の前記一方の主面側の前記絶縁部材４０５上において、前記第２リード部４４９の先端と
一体的に連続して形成された
このように種々の構成がある中で、あえてリード部の先端を貫通孔よりも長手方向後端側に引き下がるような構成とする記載や示唆は各引用文献にはなく、要件（ｄ）のような構成をとる動機となるような記載や示唆は存在していません。
　また請求人は審判請求書の請求の理由の中で、
「また、仮に、引用文献１に引用文献２−３を適用し、更に要件（ｄ）を加え、そして、引用文献２より要件（ｆ）を適用した形態に想到することができたとしても、電極部の後端部の厚みが大きくなる箇所について、絶縁部上のみにおいて厚みが大きくなるとは限らず、絶縁部上だけでなく、固体電解質上においても厚みが大きくなる形態もとり得ます。その中で、
あえて絶縁部上のみにおいて固体電解質部上に配置された電極部の先端部よりも厚みが大きくなるようにする記載や示唆は当然引用文献１乃至４には無く、容易に想到するとは言えません。
　また、本願請求項１に記載の発明は、
固体電解質部上に、電極部の後端部の厚みが大きくなった部分が配置されないため、電極厚み差によるガス検出の制度バラつきを低減できる、という優れた効果を有しております。
第３　本願発明について
１　本願発明
　平成３０年６月１２日にされた手続補正は、上記のとおり却下されたので、本願の請求項に係る発明は、出願当初の特許請求の範囲の請求項１ないし４に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１ないし４に係る発明は、本願の出願前に頒布された下記の引用文献１に記載された発明及び引用文献２ないし４に記載された事項に基づいて、その出願前にその発明の属する技術の分野における通常の知識を有する者が容易に発明をすることができたものであるから、特許法２９条２項の規定により特許を受けることができない、というものである。
引用文献１：特開２００７−２７８９４１号公報
引用文献２：特開２０１２−１７７６３８号公報
引用文献３：特開２０１４−１９４４０６号公報
引用文献４：特開昭５７−１３７８４８号公報
３　引用文献
　原査定の拒絶の理由で引用された引用文献１ないし２及びその記載事項は、前記第２の［理由］２（２）に記載したとおりである。
　
４　対比・判断
　本願発明は、前記第２の［理由］２で検討した本件補正発明から、「前記リード部の先端部上に前記電極部の後端部が重ね合わされてなり、前記電極部の後端部は、前記複合セラミック層の前記一方の主面側の前記絶縁部上のみにおいて、前記固体電解質部上に配置された前記電極部の先端部よりも厚みが大きくなる」との限定事項を削除したものである。
　そうすると、本願発明の発明特定事項を全て含み、さらに他の事項を付加したものに相当する本件補正発明が、前記第２の［理由］２（３）、（４）に記載したとおり、引用発明及び技術事項２に基づいて、当業者が容易に発明をすることができたものであるから、本願発明も、引用発明及び技術事項２に基づいて、当業者が容易に発明をすることができたものである。
第４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。